(57)【要約】【課題】加熱用の新たな部材を設けることなしに液晶の応答性を向上させ、表示品質の信頼性を図ることができる液晶装置及びその液晶装置を用いた電子機器を提供すること。【解決手段】少なくとも一方の基板としての第１の基板７と導光板２９との間に介在する空気層５２と、液晶パネル等を収容し、光源側と反対側に外部に空気を排出可能な開口部５５，５７を有するケース５とを備えることとした。従って、光源２８の熱により第１の基板７と導光板２９との間の空気層５２が光源側を中心に加熱されると共に、開口部５５，５７があるので空気層５２で膨張した空気は外部に出ようとして開口部向きに空気の流れができる。しかもこの空気流が熱を持っているので結局、光源側から離れた開口部近辺まで十分暖かい空気が広がり、ムラ無く第１の基板７を介して液晶９が暖められる。【選択図】  図５
2007279104.tif 000002
【特許請求の範囲】
【請求項１】
光を射出する光源と、
前記光源から射出された光を側端面に受ける導光体と、
液晶を挟持する一対の基板を有し、前記導光体から射出された前記光を前記一対の基板
のうち一方の基板側から受ける液晶パネルと、
前記一方の基板の前記導光体側の面に接するとともに、少なくとも前記一方の基板と前
記導光体との間に介在する空気層と、
前記液晶パネルと前記空気層と前記光源及び前記導光体とを収容し、前記導光体に対し
て前記光源が配置される側と反対側に外部に空気を排出可能な開口部を有するケースと
を具備することを特徴とする液晶装置。
【請求項２】
前記空気層は、前記光源と前記導光体の側端面との間にも連通して介在していることを
特徴とする請求項１に記載の液晶装置。
【請求項３】
前記開口部は、前記一方の基板と前記導光体との間に対応した位置の前記ケースの側面
に設けられていることを特徴とする請求項１又は請求項２に記載の液晶装置。
【請求項４】
前記空気層と前記導光体との間にレンズシートを更に具備し、
前記導光体は、前記光源側の第１の辺とその第１の辺に対向する第２の辺を有する平面
が四角の形状からなり、
前記レンズシートは、前記空気層側に前記第１の辺側から前記第２の辺側に向かう溝を
有しており、前記レンズシートの前記光源側の側端面にも前記光源と前記導光体の側端面
との間隙と連通した前記空気層が介在していることを特徴とする請求項１から請求項３の
うちのいずれか一項に記載の液晶装置。
【請求項５】
前記溝は、隣り合う断面プリズム形状の突起により形成されるものであることを特徴と
する請求項４に記載の液晶装置。
【請求項６】
前記レンズシートの突起の頂部は、前記一方の基板から離間していることを特徴とする
請求項５に記載の液晶装置。
【請求項７】
前記導光体は、前記第１及び第２の辺に隣接する第３の辺を有し、
前記溝は、前記第３の辺に平行な方向に設けられていることを特徴とする請求項４から
請求項６のうちのいずれか一項に記載の液晶装置。
【請求項８】
前記導光体は、前記第１及び第２の辺に隣接する第３の辺を有し、
前記溝は、前記第３の辺に平行な方向に対し、鋭角をなすように斜め方向に設けられて
いることを特徴とする請求項４から請求項６のうちのいずれか一項に記載の液晶装置。
【請求項９】
前記光源は、複数の点光源からなり、
前記開口部は、前記複数の点光源に平面的に対向する位置からずれて形成されているこ
とを特徴とする請求項１から請求項８のうちのいずれか一項に記載の液晶装置。
【請求項１０】
前記複数の点光源に接触し、前記複数の点光源の配列方向に沿うように延設された放熱
体を更に具備することを特徴とする請求項９に記載の液晶装置。
【請求項１１】
前記光源は、線状光源からなり、
前記線状光源に接触し、その線状方向に沿うように延設された放熱体を更に具備するこ
とを特徴とする請求項１から請求項８のうちのいずれか一項に記載の液晶装置。
【請求項１２】
請求項１から請求項１１のうちのいずれか一項に記載の液晶装置を備えたことを特徴と
する電子機器。
【発明の詳細な説明】
【技術分野】
【０００１】
本発明は、パーソナルコンピュータや携帯電話機等に用いられる液晶装置及びその液晶
装置を用いた電子機器に関する。
【背景技術】
【０００２】
従来、パーソナルコンピュータや携帯電話機等の電子機器の表示装置として液晶装置が
用いられているが、その液晶装置は、一対の基板間に液晶を挟持し当該液晶に電圧を印加
して、その液晶の配列の変化により画像を表示している。
【０００３】
しかし、その液晶の画素ごとに電圧を印加するスイッチング素子が温度が不均一である
と基板面の場所によりそのスイッチング特性が異なってきて、表示不良が発生するという
問題があった。
【０００４】
また、液晶は温度により応答性が異なり特に低温時の応答性が悪く、表示性能が悪化す
るという問題もあった。
【０００５】
そこで、基板に電気光学物質が支持されてなる電気光学パネルと、電気光学パネルに隣
り合って配置された光学部材と、その電気光学パネルに光学部材を介して対向配置された
導光板と、その導光板に対して光を照射する光源部と、少なくとも一部が電気光学パネル
および導光板の間に配置され、且つ光学部材の周縁を囲う枠状部材と、を具備し、枠状部
材は、金属を含み、且つ光源部と接触するように配置することが提案されている（例えば
、特許文献１参照。）。また、相対向して設けられた一対の基板の間に液晶を封入した液
晶パネルを有する液晶表示装置において、その液晶パネルの両面の少なくとも一方の面に
透光性を有する発熱パネルを接触させることが提案されている（例えば、特許文献２参照
。）。
【特許文献１】特開２００４−６９８２５号公報（段落[０００９]、図２）。
【特許文献２】特開平８−１７１０８４号公報（段落[０００４]、図１）。
【発明の開示】
【発明が解決しようとする課題】
【０００６】
しかしながら、特許文献１の提案により熱は電気光学パネル全体に分散され、スイッチ
ング素子による表示ムラを防止することができるようになったが、低温時の液晶の応答性
を改善するには必ずしも十分ではないという問題が考えられた。
【０００７】
一方、特許文献２の提案により確かに液晶の温度を上げることができて液晶の応答性は
良くなったが、発熱パネルを設けなければならず部品点数が増加しコスト増になる。また
、その発熱パネルの分、液晶装置の厚さが増加してしまい、更には光の透過率が下がると
いう問題がある。
【０００８】
本発明は、上述の課題に鑑みてなされるもので、加熱用の新たな部材を設けることなし
に液晶の応答性を向上させ、表示品質の信頼性を図ることができる液晶装置及びその液晶
装置を用いた電子機器を提供することを目的とする。
【課題を解決するための手段】
【０００９】
上記目的を達成するために、本発明の主たる観点に係る液晶装置は、光を射出する光源
と、前記光源から射出された光を側端面に受ける導光体と、液晶を挟持する一対の基板を
有し、前記導光体から射出された前記光を前記一対の基板のうち一方の基板側から受ける
液晶パネルと、前記一方の基板の前記導光体側の面に接するとともに、少なくとも前記一
方の基板と前記導光体との間に介在する空気層と、前記液晶パネルと前記空気層と前記光
源及び前記導光体とを収容し、前記導光体に対して前記光源が配置される側と反対側に外
部に空気を排出可能な開口部を有するケースとを具備することを特徴とする。
【００１０】
ここで、「基板」とは、例えばガラス基板等のことであり、偏光板や位相差板等をガラ
ス基板等の表面に設ける場合はこれらも含む。
【００１１】
本発明は、少なくとも一対の基板のうち一方の基板と導光体との間に介在する空気層と
、液晶パネル等を収容し、光源側と反対側に外部に空気を排出可能な開口部を有するケー
スとを備えることとした。従って、光源の熱により基板と導光体との間の空気層が光源側
を中心に加熱され、空気が膨張する。一方その光源側と反対側には外部に接した開口部が
あるので空気層で膨張した空気は外部に出ようとして開口部側に空気の流れができる。し
かもこの空気流が熱を持っているので結局、光源側から離れた開口部近辺まで十分暖かい
空気が広がる。これにより、液晶パネルの基板全体に光源の熱が広がり、むら無く基板を
介して液晶が暖められることとなり、特に、低温時の液晶の応答性を改善することが可能
となる。
【００１２】
また、光源の熱を利用するので液晶パネルを加熱するための発熱体を別に用意する必要
もなく、部品点数の増加を防ぎコスト低減できると共に、より薄型の液晶装置とすること
が可能となる。更にバックライトの光路中に発熱体を設けないので光の透過率が下がると
いう問題も回避できる。
【００１３】
本発明の一の形態によれば、前記空気層は、前記光源と前記導光体の側端面との間にも
連通して介在していることを特徴とする。これにより、空気層は温度が上昇する光源と導
光体の側端面との間にも連通しているので、光源の熱を最も効率よく基板に伝播させるこ
とができる。
【００１４】
本発明の一の形態によれば、前記開口部は、前記一方の基板と前記導光体との間に対応
した位置の前記ケースの側面に設けられていることを特徴とする。これにより、開口部が
液晶装置の厚み方向で排出すべき空気層と略同じ位置にあるので、当該開口部からの空気
の排出がより容易になり、基板と導光体との間の空気層の熱流の流れがスムーズとなる。
従って、光源の熱がより速やかに液晶パネルの基板の全体面に広がり、均一で効率的な液
晶の加熱が可能となる。
【００１５】
本発明の一の形態によれば、前記空気層と前記導光体との間にレンズシートを更に具備
し、前記導光体は、前記光源側の第１の辺とその第１の辺に対向する第２の辺を有する平
面が四角の形状からなり、前記レンズシートは、前記空気層側に前記第１の辺側から前記
第２の辺側に向かう溝を有しており、前記レンズシートの前記光源側の側端面にも前記光
源と前記導光体の側端面との間隙と連通した前記空気層が介在していることを特徴とする
。これにより、光源側からその反対側である開口部に向かう熱せられた空気の流れをレン
ズシートの溝が妨げることを極力防止することができる。
【００１６】
本発明の一の形態によれば、前記溝は、隣り合う断面プリズム形状の突起により形成さ
れるものであることを特徴とする。これにより、溝表面の空気抵抗が小さくなり、より効
率的に光源の熱を空気層の全体に伝播させることができると共に、レンズシートの形状が
単純で製造が容易となる。
【００１７】
本発明の一の形態によれば、前記レンズシートの突起の頂部は、前記一方の基板から離
間していることを特徴とする。これにより、空気層を液晶パネルの基板の全面に確保でき
、より光源の熱を基板全面に伝達しやすくなる。また、ニュートンリングの発生などの表
示品質の低下を防ぐことができる。
【００１８】
本発明の一の形態によれば、前記導光体は、前記第１及び第２の辺に隣接する第３の辺
を有し、前記溝は、前記第３の辺に平行な方向に設けられていることを特徴とする。これ
により、溝は、光源側である第１の辺側から開口部側である第２の辺側に向かう平行な直
線として形成されるので、空気層中を開口部に流れようとする加熱された空気の流れの抵
抗となることを防ぐことができる。
【００１９】
また、導光体の第３の辺に平行な方向に溝が形成されるので、導光体全面で光源側の第
１の辺から開口部側の第２の辺に向かうように平面的に重なる溝形状を形成することがで
きる。従って、液晶パネルの表示領域と重なる導光体の全領域で、光源からの熱の伝播が
妨げられることを防ぐことが可能となる。
【００２０】
本発明の一の形態によれば、前記導光体は、前記第１及び第２の辺に隣接する第３の辺
を有し、前記溝は、前記第３の辺に平行な方向に対し、鋭角をなすように斜め方向に設け
られていることを特徴とする。これにより、光源からの熱の空気層中での伝播が妨げられ
ることを減少させて、液晶パネルの均一な加熱を可能とすると共に、液晶パネルの画素と
レンズシートのピッチによるモアレの発生を抑制できる。
【００２１】
本発明の一の形態によれば、前記光源は、複数の点光源からなり、前記開口部は、前記
複数の点光源に平面的に対向する位置からずれて形成されていることを特徴とする。ここ
で、「点光源」とは例えばＬＥＤ（Ｌｉｇｈｔ  Ｅｍｉｔｔｉｎｇ  Ｄｉｏｄｅ）がある
。点光源と平面的に対向する位置に開口部があると、空気層中の熱の移動は最も短い距離
を移動する可能性が高くなるが、位置がずれていると熱の移動は回り込むように流れるの
でより基板全面に熱が拡散され、液晶をより均一に加熱することが可能となる。
【００２２】
本発明の一の形態によれば、前記複数の点光源に接触し、前記複数の点光源の配列方向
に沿うように延設された放熱体を更に具備することを特徴とする。これにより、点光源の
熱が放熱板のライン状に分布し、より均一な空気層への加熱が可能となる。
【００２３】
本発明の一の形態によれば、前記光源は、線状光源からなり、前記線状光源に接触し、
その線状方向に沿うように延設された放熱体を更に具備することを特徴とする。これによ
り、線状光源の熱がより広い熱源となり、基板への熱の伝達がより効率的となる。ここで
、「線状光源」とは、例えば冷陰極管及びリフレクター等をいう。
【００２４】
本発明の他の観点に係る電子機器は、上述の液晶装置を備えることを特徴とする。
【００２５】
本発明は、加熱用の新たな部材を設けることなしに液晶の応答性を向上させ、表示品質
の信頼性を図ることができる液晶装置を備えたので、表示品位の高い電子機器を低コスト
に提供できる。
【発明を実施するための最良の形態】
【００２６】
以下、本発明の実施形態を図面に基づき説明する。なお、以下実施形態を説明するにあ
たっては、液晶装置の例としてＴＦＴ（Ｔｈｉｎ  Ｆｉｌｍ  Ｔｒａｎｎｓｉｓｔｏｒ）
アクティブマトリックス型の液晶装置、またその液晶装置を用いた電子機器について説明
するが、これに限られるものではない。また、以下の図面においては各構成をわかりやす
くするために、実際の構造と各構造における縮尺や数等が異なっている。
【００２７】
（第１の実施形態）
【００２８】
図１は本発明の第１の実施形態に係る液晶装置の概略斜視図、図２は図１のＡ−Ａ線部
分断面図（ドライバーＩＣ（Ｉｎｔｅｇｒａｔｅｄ  Ｃｉｒｃｕｉｔ）は切断していない
。）、図３は照明装置及びケースの平面図及び図４は図３のＢ−Ｂ線部分断面図（ケース
の側壁は表示していない。）である。
【００２９】
（液晶装置の構成）
【００３０】
液晶装置１は、例えば図１に示すように液晶パネル２、当該液晶パネル２や後述する光
源に電気的に接続されたフレキシブル基板３、当該液晶パネル２に光を射出する照明装置
４及びこれら液晶パネルや照明装置等を収容するケース５とを有する。ここで、液晶装置
１には、ケース５等の他にも、その他の付帯機構が必要に応じて付設される（図示しない
）。
【００３１】
液晶パネル２は、図１及び図２に示すようにシール材６を介して貼り合わされた一対の
基板としての第１の基板７（一対の基板のうち一方の基板）及び第２の基板８及び両基板
の間隙に封入されたＴＮ（Ｔｗｉｓｔｅｄ  Ｎｅｍａｔｉｃ）型の液晶９等を有する。
【００３２】
第１及び第２の基板７，８は、夫々例えばガラスといった透光性を有する板状部材から
なる第１及び第２の基材７ａ，８ａを有し、図２に示すように第１及び第２の基材７ａ，
８ａの外側（液晶とは反対側）には、入射光を偏光させるための偏光板１０，１１が夫々
貼着されている。
【００３３】
また、第１の基材７ａはその内側（液晶側）に例えば図１及び図２に示すようにＹ軸方
向にゲート電極１２が形成され、Ｘ軸方向に信号線としてのソース電極１３が形成されて
おり、更にそのゲート電極１２及びソース電極１３等の液晶側には配向膜１４が形成され
ている。ゲート電極１２及びソース電極１３は、例えばニッケル等から形成されており、
図示しないＴＦＴに電気的に接続されている。また、ＴＦＴはＩＴＯ（インジウムスズ酸
化物）等からなる画素電極１５に電気的に接続されている。
【００３４】
これにより、ゲート電極１２及びソース電極１３はゲート電極１２に電圧を印加したと
きにソース電極１３から画素電極１５に、またはその逆に電流が流れるようになる。ここ
で、ソース電極１３は画素電極１５にデータ信号を印加し、画素電極１５は後述する共通
電極とでその間に挟まれた液晶９に電圧を印加するものである。
【００３５】
更に第１の基材７ａは、例えば図１及び図２に示すように第２の基材８ａの外周縁から
張出した張出し部１６を有し、当該張出し部１６には、ゲート電極１２及びソース電極１
３がシール材６で囲まれる領域から当該張出し部１６に延びたゲート電極用配線１７及び
ソース電極用配線１８等が形成されている。また、張出し部１６にはその各電極用配線に
電気的に接続された液晶駆動用のドライバーＩＣ１９が実装されている。
【００３６】
更に張出し部１６は、例えば図１及び図２に示すようにドライバーＩＣ１９の実装面に
対応する領域内にゲート電極用配線１７及びソース電極用配線１８に電気的に接続された
図示しない電極用端子、更にフレキシブル基板３等からの電流をドライバーＩＣ１９に入
力する図示しない入力用端子を有する。
【００３７】
また、張出し部１６は例えば図２に示すようにフレキシブル基板３等から電流を受取る
外部用端子２０、その外部からの電流を入力用端子に供給する入力用配線２１等を有する
。
【００３８】
また、例えば図２に示すように張出し部１６のドライバーＩＣ１９の実装面と反対側に
は略張出し部１６の全体を覆うように遮光部材５１が貼着されている。
【００３９】
ドライバーＩＣ１９は、例えば図２に示すようにその張出し部１６に実装する実装面に
電極用端子及び入力用端子に電気的に接続する複数配列されたバンプ２２を有する。この
電気的接続は、例えば電極用端子及び入力用端子とバンプ２２との間に接着材でもある図
示しない異方性導電膜（ＡＣＦ（Ａｎｉｓｏｔｒｏｐｉｃ  Ｃｏｎｄｕｃｔｉｖｅ  Ｆｉ
ｌｍ））を介して行なわれる。
【００４０】
一方、第２の基材８ａは例えば図２に示すようにその内側（液晶側）表面に共通電極２
３が形成されており、その共通電極２３の液晶側には配向膜２４が形成されている。
【００４１】
尚、第１及び第２の基材７ａ，８ａの液晶側には、図示しないが必要に応じて下地層、
反射層、着色層及び光遮蔽層等が形成されている。
【００４２】
次に、フレキシブル基板３は例えば図１及び図２に示すように基板としてのベース基材
２５上に銅（Ｃｕ）等から形成された配線パターン２６等が形成され、実装されている。
【００４３】
ここで、ベース基材２５は可撓性を有するフイルム状の部材である。また、配線パター
ン２６は、ベース基材２５の張出し部側の端に形成されている接続用端子（図示しない）
に電気的に接続されており、その接続用端子は、例えば液晶パネル２の外部用端子２０に
異方性導電膜２７を介して電気的に接続されている。更に当該配線パターン２６の一部は
分岐したベース基材２５ａに形成されており、光源に電気的に接続されている。
【００４４】
次に、照明装置４は例えば図１、図２及び図３に示すように液晶パネル２に光を供給す
るバックライトユニットであり、光源２８、導光体としての導光板２９、２枚のレンズシ
ート３０，３１、拡散シート３２及び反射シート３３等を有する。
【００４５】
ここで、光源２８は例えば４つの発光ダイオード（以下「ＬＥＤ」（Ｌｉｇｈｔ  Ｅｍ
ｉｔｔｉｎｇ  Ｄｉｏｄｅ）という。）２８ａ，２８ｂ，２８ｃ，２８ｄが用いられ図１
、図２及び図３に示すよう導光板２９の光源側の側端面に、発光面３５が離間して配置さ
れている。これにより、後述する空気層が発光面３５と導光板２９の側端面との間にも、
第１の基板と導光板２９との間と連通して介在することとなる。
【００４６】
導光板２９は、光源２８から入射された光を拡散シート３２の全体に射出するものであ
る。
【００４７】
また、導光板２９は例えば図１、図２及び図３に示すように厚さが略等しい平板状の形
状を有し、その平板形状の両面は、光源２８から入射した光を拡散シート３２に射出する
射出面３６と、その射出面３６と反対側で反射シート３３により光が反射する反射面３７
とを有する。
【００４８】
更に導光板２９は、例えば図２及び図３に示すように平面が四角形に形成されており、
図３に示すように光源側に第１の辺としての辺２９ａ、その辺２９ａに対向する第２の辺
としての辺２９ｂ、その第１及び第２の辺に隣接する第３の辺としての辺２９ｃ及びその
辺２９ｃに対向する辺２９ｄを有する。また、当該辺２９ａに光源２８からの光を受光す
る受光面となる側端面３８が設けられている。
【００４９】
尚、導光板２９は例えばアクリル系樹脂等を用いて射出成型や押出成型等により成型さ
れる。
【００５０】
次に、２枚のレンズシート３０，３１、拡散シート３２及び反射シート３３は図１、図
２及び図３に示すように導光板２９と略同じ大きさに形成されており、例えば反射シート
３３は導光板２９の反射面３７上（図では下方向）に該反射面３７と略同じ大きさの銀箔
シート等が貼着されている。
【００５１】
また、導光板２９の射出面３６上（液晶パネル側）に射出面３６と略同じ大きさの拡散
シート３２が貼着され、更にその上に２枚のレンズシート３０，３１が配置されている。
尚、拡散シート３２は、拡散により均一な光を射出するものであり、レンズシート３０，
３１は拡散シート３２から射出される光の輝度を向上させ液晶パネル２の偏光板１０に照
射するものである。
【００５２】
更にレンズシート３０，３１は、その光源側の側端面５６にも当該光源２８と導光板２
９の側端面３８との間隙と連通した空気層が介在可能に設けられている。これにより、光
源２８により加熱された空気が導光板２９と第１の基板７との間まで上昇することが可能
となる。
【００５３】
ここで、二枚のレンズシート３０，３１は、例えば図４に示すように両方とも空気層側
表面に頂角９０度のプリズムが並設されており、隣り合う断面プリズム形状の突起３４に
より断面Ｖ字形状の溝３０ａ，３１ａが形成されている。
【００５４】
また、空気層側に配置されたレンズシート３０は、例えば図３に示すようにその溝方向
が導光板２９の第１の辺としての辺２９ａから第２の辺としての辺２９ｂに向かうように
溝３０ａが形成されている。具体的には図３に示すように導光板２９の第３の辺としての
辺２９ｃに平行（図３のＹ軸方向）に複数並設されている。
【００５５】
更にレンズシート３０の当該溝３０ａを形成する隣り合う断面プリズム形状の突起３４
の頂部３０ｂは、空気層を介して偏光板１０に対向しているが、直接は接しないように例
えば図２に示すようにスペース３９が形成されている。そしてそのスペース３９等により
後述するように空気層が形成されることとなる。
【００５６】
一方、レンズシート３１はレンズシート３０と同様な形状を有し、その溝３１ａがレン
ズシート３０の溝３０ａの方向に対し丁度直交するように（図３中のＸ軸方向）レンズシ
ート３０と拡散シート３２との間に配置されている。例えば図４に示すようにレンズシー
ト３１の突起３４の頂部３１ｂがレンズシート３０の突起３４側と反対側面に接するよう
に配置されている。
【００５７】
次に、ケース５は例えば図１に示すように上ケース５ａと下ケース５ｂとからなり、液
晶パネル２や後述する空気層、光源２８、導光板２９等を収容する。
【００５８】
上ケース５ａは、例えば図１及び図２に示すようにその中央に略矩形状の表示用開口部
４０を有し、下ケース５ｂを覆うように額縁状に形成されており、その四辺に側壁４４ａ
，４６ａ，４７ａ，４８ａが設けられている。
【００５９】
また、上ケース５ａには例えば図１に示すように液晶パネル２の張出し部１６側の側壁
４４ａの略下端中央に上ケース案内溝４３が設けてあり、図２に示すようにフレキシブル
基板３が引き出されている。
【００６０】
更にその側壁４４ａに対向し、光源側と反対側となる側壁４６ａには例えば図２に示す
ようにケース５の外部にケース内の空気を排出可能な略矩形の開口部５５が設けられてい
る。
【００６１】
ここで、開口部５５は例えば第１の基板７と導光板２９との間に対応した側壁４６ａの
位置に設けられている。具体的には図２に示すように液晶装置１の厚さ方向（図２中のＺ
軸方向）で偏光板１０の導光板側表面と略同じ位置からレンズシート３０の突起側表面の
頂部３０ｂと略同じ位置にまで外部に貫通する開口部５５が形成されている。勿論、開口
部５５はこれに限られるものではなく、厚さ方向でこれよりも大きくてもまた、小さくて
もよく、更にはその位置もずれても良い。ただし、光源により暖められた空気が当該開口
部５５方向に流れやすくするには、頂部３０ｂから偏光板１０の表面までに略一致させた
ほうが好ましい。
【００６２】
また、開口部５５は例えば平面的に見て図３に示すように側壁４６ａに離間して三箇所
設けられており、光源２８のＬＥＤ２８ａ，２８ｂ，２８ｃ，２８ｄ（以下「ＬＥＤ２８
ａ等」という。）の夫々の間に配置されている。すなわち、光源との関係では互い違いの
平面的位置に開口部５５が設けられていることとなる。勿論、開口部５５の平面方向の形
成はこれに限られるものではなく、丁度光源に対面する位置に設けてもいいし、一部重な
るように設けてもよい。ただし、開口部５５を完全にＬＥＤ２８ａ等に対面させて設ける
より、少しでもずらしたほうがより暖められた気流が平面的に広く流れるので効率的に光
源の熱を利用できる。
【００６３】
尚、開口部５５の数や大きさについては任意に調整可能で、例えば空気層の熱をより滞
留させたいとき等の場合は、開口部５５の開口面積を小さくしたり、その数を少なくすれ
ば良い。また、開口部５５の数を３個より多くしても良いことは勿論である。
【００６４】
次に下ケース５ｂは、図１、図２及び図３に示すようにＬＥＤ２８ａ等、反射シート３
３、拡散シート３２及び２枚のレンズシート３０，３１が貼着等された導光板２９が丁度
収納されるように内側に凹部４１を有し、その周囲には側壁４４ｂ，４６ｂ，４７ｂ，４
８ｂが形成されている。
【００６５】
更に下ケース５ｂは、例えば図１に示すように液晶パネル２の張出し部１６側の側壁４
４ｂの略上端中央に下ケース案内溝４５が設けてあり、図２に示すようにフレキシブル基
板３が引き出され、或は折り曲げられている。
【００６６】
また、下ケース５ｂは例えば図２に示すように液晶パネル２をその偏光板１０の導光板
２９側表面がレンズシート３０の頂部３０ｂと距離Ｅ（図２中のＥ）０.１ｍｍ〜０.５ｍ
ｍ程度だけ離間して保持するように形成されている。これにより、上述したスペース３９
が層状に形成されることとなり、例えば下ケース５ｂ内には空気が入っているので当該ス
ペース３９は空気層の一部となる。
【００６７】
更に下ケース５ｂは、例えば図２及び図３に示すように側壁４４ｂに対向する側壁４６
ｂ及び側壁４４ｂ，４６ｂに挟まれた側壁４７ｂ，４８ｂを有し、夫々の側壁はその内面
が反射シート３３や導光板２９等の側面４９から離間するように形成されている。これに
より、各側壁と導光板２９等との間にもスペース５０が形成され、これらのスペース３９
，５０により空気層５２が形成されることとなる。
【００６８】
また、側壁４６ｂにはケース５の外部にケース内の空気を排出可能な略矩形の開口部５
７が設けられている。
【００６９】
ここで、開口部５７は例えば第１の基板７と導光板２９との間に対応した位置の側壁４
６ｂに設けられている。具体的には図２及び図３に示すように開口部５５の液晶装置１の
厚さ方向（図２中のＺ軸方向）及び導光板２９の辺２９ｂ方向（図２中のＸ軸方向）の位
置に略一致するように形成されている。これにより、開口部５５と開口部５７とは重なり
合って開口が形成されることとなり、ケース５内の光源からの暖められた気流は、当該開
口部５５，５７を通ってケース５の外部に排出されることとなる。
【００７０】
尚、下ケース５ｂの側壁と導光板等の側面４９との距離は、一定に限られるものではな
く、例えば場所によって異なっても良いし、部分的に側壁と導光板等の側面４９との空間
がなくなっていても良い。
【００７１】
（液晶装置の動作）
【００７２】
次に、以上のように構成された液晶装置１の動作について光源からの熱の進み方を中心
に簡単に説明する。
【００７３】
図５は光源の熱の進み方を側面側から説明する図及び図６は図５の部分拡大説明図であ
る。
【００７４】
まず、図示しない駆動回路により例えばＬＥＤ２８ａ等に所定の電流が供給されると該
ＬＥＤ２８ａ等はその発光面３５から光を発すると共に、発熱する。そして、そのＬＥＤ
２８ａ等から発生した熱は、例えば図５に示すようにＬＥＤ２８ａ等の周り、例えば導光
板２９の側端面３８とＬＥＤ２８ａ等との間にも介在している空気層５２に移る。そして
、空気層５２の中で暖められた空気は上昇し（図５中の矢印Ｆ）導光板等と下ケース５ｂ
の側壁との間のスペース５０を移動し、遮光部材５１や偏光板１０に到達する。ここで、
偏光板１０とレンズシート３０との間等にスペース３９が形成されているので、当該スペ
ース３９に暖められた空気が蓄積され、暖かい空気層５２が形成されることとなる。
【００７５】
このとき、上ケース５ａ及び下ケース５ｂの光源側とは反対側の側壁４６ａ，４６ｂに
は外気に開口した開口部５５，５７が形成されているので、スペース３９の熱により膨張
した空気は開口部５５,５７の方向へ流れ（図５中の矢印Ｇ）、熱せられた空気の流路が
光源側から反対側に向かって形成される。
【００７６】
しかも、この熱せられた空気の動きに対し、空気層５２の一方の接触面であるレンズシ
ート３０の空気層側表面の溝３０ａは、例えば図３及び図６に示すように導光板２９の辺
２９ｃに平行に設けられており、その方向（図６中の矢印Ｈ）は上述した光源側から反対
側に向かう気流の流れ（図６中の矢印Ｉ）と略一致する。従って、レンズシート３０の溝
３０ａは光源側からその反対側に向かう熱流の流れの妨げとなることはない。
【００７７】
このように、レンズシート３０と偏光板１０との間での加熱された空気の流れにより光
源２８の熱が偏光板１０の表面全体に広がり、局所的な温度のムラの発生を抑え、効率的
に偏光板１０を介して液晶９等が加熱されることとなる。
【００７８】
また、偏光板１０とレンズシート３０との間で偏光板１０に熱を供給し低温になった空
気は、下ケース５ｂの側壁と導光板等の側面との隙間等から再び光源付近に戻り、そこで
加熱され再び加熱された空気として上昇することとなる。
【００７９】
以上で液晶装置１の動作の説明を終了する。
【００８０】
このように本実施形態によれば、少なくとも一方の基板としての第１の基板７と導光板
２９との間に介在する空気層５２と、液晶パネル等を収容し、光源側と反対側に外部に空
気を排出可能な開口部５５，５７を有するケース５とを備えることとした。従って、光源
２８の熱により第１の基板７と導光板２９との間の空気層５２が光源側を中心に加熱され
、空気が膨張する。
【００８１】
一方その光源側と反対側には外部に接した開口部５５，５７があるので空気層５２で膨
張した空気は外部に出ようとして開口部向きに空気の流れができる。しかもこの空気流が
熱を持っているので結局、光源側から離れた開口部近辺まで十分暖かい空気が広がる。こ
れにより、液晶パネル２の第１の基板全体に光源２８の熱が広がり、ムラ無く第１の基板
７を介して液晶９が暖められることとなり、特に、低温時の液晶の応答性を改善すること
が可能となる。
【００８２】
また、光源２８の熱を利用するので液晶パネル２を加熱するための発熱体を別に用意す
る必要もなく、部品点数の増加を防ぎコスト低減できると共に、より薄型の液晶装置１と
することが可能となる。更にバックライトの光路中に発熱体を設けないので光の透過率が
下がるという問題も回避できる。
【００８３】
更に開口部５５，５７は、第１の基板７と導光板２９との間に介在する空気層５２の光
源と反対側に対向するように設けることとしたので、開口部５５，５７が排出すべき空気
層の液晶装置１の厚み方向と略同じ位置となる。従って、当該開口部からの空気の排出が
より容易になり、第１の基板７と導光板２９との間の空気層５２の熱流がスムーズとなる
。これにより、光源２８の熱がより速やかに液晶パネル２の第１の基材７ａの全体面に広
がり、均一で効率的な液晶９の加熱が可能となる。
【００８４】
また導光板２９は、光源側の辺２９ａとその辺に対向する辺２９ｂを有する平面が四角
の形状からなり、レンズシート３０は、空気層側に辺２９ａ側から辺２９ｂ側に向かう溝
３０ａを有することとした。従って、光源側からその反対側である開口部５５，５７に向
かう熱せられた空気の流れをレンズシート３０の溝３０ａが妨げることを極力防止するこ
とができる。
【００８５】
更に溝３０ａは、隣り合う断面プリズム形状の突起３４により形成されることとしたの
で、溝表面の空気抵抗が小さくなり、より効率的に光源２８の熱を空気層５２の全体に伝
播させることができると共に形状が単純で製造が容易となる。
【００８６】
また、レンズシート３０の突起３４の頂部３０ｂは、偏光板１０から例えばＥ（図２中
のＥ）だけ離間していることとしたので、空気層５２を液晶パネル２の偏光板１０の全面
に確保でき、より光源２８の熱を基板全面に伝達しやすくなる。また、ニュートンリング
の発生などの表示品質の低下を防ぐことができる。
【００８７】
更に溝３０ａは、光源側である辺２９ａ側から開口部側である辺２９ｂ側に向かう平行
な直線として形成されるので、空気層中を開口部５５，５７に流れようとする加熱された
空気の流れの抵抗となることを防ぐことができる。
【００８８】
また、導光板２９の辺２９ｃに平行な方向に溝３０ａが形成されるので、導光板全面で
光源側の辺２９ａから開口部側の辺２９ｂに向かうように平面的に重なる溝形状を形成す
ることができる。従って、液晶パネル２の有効表示領域Ｃと重なる導光板２９の全領域で
、光源２８からの熱の伝播が妨げられることを防ぐことが可能となる。
【００８９】
また、光源２８は、複数の点光源例えばＬＥＤ２８ａ等からなり、開口部５５，５７は
、当該ＬＥＤ２８ａ等に平面的に対向する位置からずれて形成されていることとしたので
、熱の移動が回り込むように流れるのでより基板全面に熱が拡散される。従って、液晶９
をより均一に加熱することが可能となる。
【００９０】
（変形例１）
【００９１】
次に、本発明に係る液晶装置の変形例について説明する。本変形例においては、光源側
にも開口部を設けた点が、第１の実施形態と異なるのでその点を中心に説明することとす
る。尚、以下の説明では第１の実施形態の構成要素と共通する構成要素については、第１
の実施形態の構成要素と同一の符号を付しその説明を省略或は簡略化する。
【００９２】
（液晶装置の構成）
【００９３】
図７は本発明の変形例１に係る液晶装置の概略斜視図及び図８は照明装置及びケースの
平面図である。
【００９４】
液晶装置１０１は、例えば図７に示すように液晶パネル２、当該液晶パネル２等に電気
的に接続されたフレキシブル基板３、当該液晶パネル２に光を射出する照明装置４及びこ
れら液晶パネルや照明装置等を収容するケース１０５とを有する。ここで、液晶装置１０
１には、ケース１０５等の他にも、その他の付帯機構が必要に応じて付設される（図示し
ない）。
【００９５】
次に、ケース１０５は例えば図７に示すように上ケース１０５ａと下ケース１０５ｂと
からなり、液晶パネル２や後述する空気層５２、光源２８、導光板２９等を収容する。
【００９６】
上ケース１０５ａは、例えば図７及び図８に示すようにその中央に略矩形状の表示用開
口部４０を有し、下ケース１０５ｂを覆うように額縁状に形成されており、その四辺に側
壁１４４ａ，４６ａ，４７ａ，４８ａが設けられている。
【００９７】
また、上ケース５ａには例えば図７に示すように液晶パネル２の張出し部１６側の側壁
１４４ａの略下方左右両端に、ケース１０５の内部にケース外の空気を取り入れ可能な略
矩形の開口部１５５が設けてあり、更に略中央下側に上ケース案内溝４３が設けてある。
【００９８】
ここで、開口部１５５は例えば液晶装置１０１の厚さ方向（図７中のＺ軸方向）で偏光
板１０の表示側と反対側表面(導光板側表面)と略同じ位置から、レンズシート３０の突起
側表面の頂部３０ｂと略同じ位置にまでに対応させて外部に開口するように形成されてい
る。勿論、開口部１５５はこれに限られるものではなく、例えば側壁１４４ａの下端近く
でも良い。ただし、偏光板１０とレンズシート３０との間に略同じ高さ（図２中のＺ軸方
向）で開口部１５５を設けるほうが、よりスムーズに熱せられた空気の流れができやすい
。
【００９９】
また、開口部１５５は例えば平面的に見て図８に示すように側壁１４４ａの左右の端に
設けられており、ＬＥＤ２８ａ等を両側から挟むように配置されている。勿論、開口部１
５５の配置場所はこれに限られるものではなく、例えば平面的に光源付近に設けてもよい
。ただし、開口部１５５を左右端部に設けたほうが端のほうから気流が流れるのでより効
率的に偏光板１０の全面をムラ無く加熱することができる。
【０１００】
次に下ケース１０５ｂは、図７及び図８に示すようにＬＥＤ２８ａ等、反射シート３３
、拡散シート３２及び２枚のレンズシート３０，３１が貼着等された導光板２９が丁度収
納されるように内側に凹部４１を有し、その周囲には側壁１４４ｂ，４６ｂ，４７ｂ，４
８ｂが形成されている。
【０１０１】
更に下ケース１０５ｂは、例えば図７に示すように液晶パネル２の張出し部１６側の側
壁１４４ｂの左右の両端に開口部１５７が設けられ、そして同じ側壁１４４ｂの略上端中
央に下ケース案内溝４５が設けてある。
【０１０２】
ここで、開口部１５７は例えば図７及び図８に示すように開口部１５５の液晶装置１０
１の厚さ方向及び導光板２９の辺２９ａ方向の位置に略一致するように形成されている。
これにより、開口部１５５と開口部１５７とは開口が略重なって形成されることとなり、
ケース１０５の外部から空気がケース内に流入することとなる。
【０１０３】
（液晶装置の動作）
【０１０４】
次に、以上のように構成された液晶装置１０１の動作については略第１の実施形態と同
様であるのでその説明を省略する。
【０１０５】
このように本変形例によれば、光源側の側壁１４４ａ，１４４ｂに連通する開口部１５
５，１５７を設けたので、開口部５５,５７から排出された空気がスムーズにケース１０
５内に供給される。しかもその流れが、例えば液晶装置１０１の厚さ方向での開口部５５
，５７の位置と略同一であるので平面的に気流が形成され、効率的に熱が偏光板１０の全
面に供給されることとなる。
【０１０６】
また、開口部１５５，１５７が左右両端に平面的に光源２８を挟むように形成されてい
るので、より広い範囲に光源２８の熱が伝播でき、ムラのない液晶９への加熱が可能とな
る。
【０１０７】
（第２の実施形態）
【０１０８】
次に本発明に係る液晶装置の第２の実施形態について説明する。本実施形態においては
、レンズシートの溝が斜め方向に設けられている点が第１の実施形態と異なっているので
その点を中心に説明する。
【０１０９】
（液晶装置の構成）
【０１１０】
図９は本発明の第２の実施形態に係る照明装置及びケースの平面図である。
【０１１１】
液晶装置２０１は、例えば図１及び図９に示すように液晶パネル２、当該液晶パネル２
等に電気的に接続された可撓性基板としてのフレキシブル基板３、当該液晶パネル２に光
を射出する照明装置２０４及びこれら液晶パネルや照明装置等を収容するケース５とを有
する。ここで、液晶装置２０１には、ケース５等の他にも、その他の付帯機構が必要に応
じて付設される（図示しない）。
【０１１２】
照明装置２０４は図１に示すように液晶パネル２に光を供給するバックライトユニット
であり、光源２８、導光体としての導光板２９、二枚のレンズシート２３０,２３１、拡
散シート３２及び反射シート３３等を有する。
【０１１３】
ここで、レンズシート２３０，２３１は拡散シート３２及び反射シート３３と同様に図
９に示すように導光板２９と略同じ大きさに形成されており、導光板２９の射出面３６上
に貼着された拡散シート３２の上に配置されている。尚、レンズシート２３０，２３１は
拡散シート３２から射出される光の輝度を向上させ液晶パネル２の偏光板１０に照射する
ものである。
【０１１４】
また、二枚のレンズシート２３０，２３１は、両方とも空気層側表面に頂角９０度のプ
リズムが複数列状に並設されており、隣り合う断面プリズム形状の突起３４により断面Ｖ
字形状の溝２３０ａ，２３１ａが形成されている。
【０１１５】
更に空気層５２側に配置されたレンズシート２３０は、例えば図９に示すようにその溝
方向が導光板２９の辺２９ａから辺２９ｂに向かうように溝２３０ａが形成されている。
具体的には溝２３０ａは、例えば図９に示すように導光板２９の第３の辺としての辺２９
ｃに平行な方向（図９中のＹ軸方向）に対し鋭角θ（図９中のθ）をなすように斜め方向
で互いに平行に複数並設されている。
【０１１６】
また、レンズシート２３０の当該溝２３０ａを形成する隣り合う断面プリズム形状の突
起３４の頂部２３０ｂは、空気層５２を介して偏光板１０に対向しているが直接は接しな
いようにスペース３９が形成されている。
【０１１７】
一方、レンズシート２３１はレンズシート２３０と同様な形状を有し、その溝２３１ａ
がレンズシート２３０の溝２３０ａの方向に対し例えば丁度直交するようにレンズシート
２３０と拡散シート３２との間に配置されている。勿論、レンズシート２３１の溝２３１
ａはレンズシート２３０の溝２３０ａと夫々の方向が交差しておればよく、直交する場合
に限られるものではない。
【０１１８】
（液晶装置の動作）
【０１１９】
次に、以上のように構成された液晶装置２０１の動作についてレンズシートでの熱の進
み方を中心に簡単に説明する。
【０１２０】
図１０はレンズシートでの熱の進み方を説明する図である。
【０１２１】
ＬＥＤ２８ａ等により加熱された空気層５２中の熱せられた空気は、開口部５５,５７
に向かって流れるが、このときその空気層５２に接するレンズシート２３０表面の溝２３
０ａのプリズム表面は、例えば図１０に示すように当該空気の流れ（図１０中の矢印Ｋ）
と斜めにあたることとなる。これにより、光源２８からの熱により熱せられた空気の流れ
が溝２３０ａに直角に当たらないで済むこととなる。
【０１２２】
以上で液晶装置２０１の動作の説明を終了する。
【０１２３】
このように本実施形態によれば、レンズシート２３０の溝２３０ａは、導光板２９の辺
２９ｃに平行な方向に対し、鋭角θ（図９中のθ）をなすように斜め方向に設けられてい
ることとした。従って、液晶パネル２の画素とレンズシート２３０，２３１のピッチによ
るモアレの発生を抑制できる。
【０１２４】
また、レンズシート２３０の表面の溝２３０ａのプリズム表面は、空気層５２中を開口
部５５,５７に向かって流れる加熱された気流と直角に当たらないので、光源２８からの
熱が空気層５２で開口部５５，５７へ伝播するのを妨げることを減少させて、液晶パネル
２の均一な加熱が可能である。
【０１２５】
（第３の実施形態）
【０１２６】
次に本発明に係る液晶装置の第３の実施形態について説明する。本実施形態においては
、光源に接触する放熱板が設けられた点が第１の実施形態と異なっているのでその点を中
心に説明する。
【０１２７】
（液晶装置の構成）
【０１２８】
図１１は本発明の第３の実施形態に係る液晶装置の断面図及び図１２は照明装置、放熱
板及びケースの平面図である。
【０１２９】
液晶装置３０１は、例えば図１１に示すように液晶パネル２、当該液晶パネル２等に電
気的に接続されたフレキシブル基板３、当該液晶パネル２に光を射出する照明装置３０４
及びこれら液晶パネルや照明装置等を収容するケース５とを有する。ここで、液晶装置３
０１には、ケース５等の他にも、その他の付帯機構が必要に応じて付設される（図示しな
い）。
【０１３０】
照明装置３０４は図１１に示すように液晶パネル２に光を供給するバックライトユニッ
トであり、光源２８、導光体としての導光板３２９、二枚のレンズシート３３０，３３１
、拡散シート３３２、反射シート３３３及び放熱体としての放熱板３３４等を有する。
【０１３１】
ここで、光源２８は例えば４つのＬＥＤ２８ａ，２８ｂ，２８ｃ，２８ｄが用いられ、
図１２に示すよう導光板３２９の光源側の側端面３８に夫々離間して発光面３５が配置さ
れるように配列されている。これにより、空気層が発光面３５と導光板の側端面３８との
間にも、第１の基板７と導光板３２９との間と連通して介在することとなる。
【０１３２】
また、ＬＥＤ２８ａ等は例えば図１１及び図１２に示すようにその背面（発光面の反対
側面）が放熱板３３４に直接接しており、ＬＥＤ２８ａ等から発した熱を効率よく放熱板
３３４に伝達することができる。更にＬＥＤ２８ａ等は、例えば図１１に示すようにその
底面側に電流供給用のフレキシブル基板３が配置されている。尚、当該ＬＥＤ２８ａ等に
放熱部があるときはその放熱部に放熱板３３４が接するように配置する。
【０１３３】
ここで、導光板３２９、拡散シート３３２及び反射シート３３３は夫々、第１の実施形
態の導光板２９、拡散シート３２及び反射シート３３と大きさが異なる点以外は略同様で
あるのでその説明を省略する。
【０１３４】
また、二枚のレンズシート３３０，３３１は夫々の表面に溝３０ａ，３１ａが形成され
ているが、第１の実施形態のレンズシート３０,３１とレンズシート自体の大きさが異な
る点以外は略同様であるので、その説明は省略する。
【０１３５】
一方、放熱板３３４は例えば図１１及び図１２に示すように略四角形の矩形状を有し、
ＬＥＤ２８ａ等の背面に接しており、そのＬＥＤ２８ａ等の配列方向に内壁が沿うように
配置されている。また、放熱板３３４は、例えば図１２に示すようにその内壁３７１がＬ
ＥＤ２８ａ等の背面などより大きく形成されており、各ＬＥＤ間などから放熱板３３４が
露出している。
【０１３６】
更に放熱板３３４の内壁３７１は、反射シート３３３や導光板等の側面４９と所定の距
離を保持しており、外壁３７２は下ケース５ｂの側壁４４ｂ等に略接触するように配置さ
れている。
【０１３７】
尚、放熱板３３４は例えばアルミニウム（Ａｌ）等の金属により形成されており、熱伝
導率はアルミニウムであれば２００Ｗ／ｍ・Ｋ程度である。
【０１３８】
また、放熱板３３４は熱伝導性の高い金属を用いることが望ましいが、光源２８の発光
効率を高めるために反射機能を備えれば、光源２８の背面に漏れた光を導光板３２９に反
射させることができ、別途反射板等を設ける必要がない。
【０１３９】
（液晶装置の動作）
【０１４０】
次に、以上のように構成された液晶装置３０１の動作について光源からの熱の進み方を
中心に簡単に説明する。
【０１４１】
図１３は導光板の熱の進み方を側面側から説明する図である。
【０１４２】
まず、図示しない駆動回路により例えばＬＥＤ２８ａ等に所定の電流が供給されると該
ＬＥＤ２８ａ等はその発光面３５から光を発すると共に、発熱する。そして、そのＬＥＤ
２８ａ等から発生した熱は、例えば図１３に示すようにその背面と接触している放熱板３
３４に移り（図１３中の矢印Ｍ）、当該放熱板３３４中に広がる。
【０１４３】
更に該放熱板３３４に広がった熱は、配列されたＬＥＤ２８ａ等のライン状の温度分布
となり、例えば図１２及び図１３に示すように放熱板３３４の露出領域Ｎに接する空気層
５２に伝わる。そして空気層５２の中で暖められた空気は上昇し導光板等と放熱板３３４
との間のスペースを移動し、遮光部材５１や偏光板１０に到達する。
【０１４４】
ここで、偏光板１０とレンズシート３３０との間等にスペース３９が形成されているの
で、当該スペース３９に暖められた空気が蓄積され、暖かい空気層５２が形成されること
となる。
【０１４５】
このとき、上ケース５ａ及び下ケース５ｂの光源側とは反対側の側壁４６ａ，４６ｂに
は外気に開口した開口部５５，５７が形成されているので、スペース３９の熱により膨張
した空気は開口部５５,５７の方向へ流れ（図１３中の矢印Ｐ）、熱せられた空気の流路
が光源側から反対側に向かって形成される。
【０１４６】
しかも、この熱せられた空気の動きに対し、空気層５２の一方の接触面であるレンズシ
ート３３０の空気層側表面の溝３０ａは例えば導光板２９の辺２９ｃに平行に設けられて
おり、その方向は上述した光源側から反対側に向かう気流の流れ（図１３中の矢印Ｐ）と
略一致する。従って、レンズシート３３０の溝３０ａは光源側からその反対側に向かう熱
流の流れの妨げとなることはない。
【０１４７】
このように、レンズシート３３０と偏光板１０との間での加熱された空気の流れにより
光源２８の熱が偏光板１０の表面全体に広がり、局所的な温度のムラの発生を抑え、効率
的に偏光板１０を介して液晶９等が加熱されることとなる。
【０１４８】
また、偏光板１０とレンズシート３３０との間で偏光板１０に熱を供給し低温になった
空気は下ケース５ｂの側壁と導光板等の側面との隙間等から再び放熱板付近に戻り、そこ
で加熱され再び加熱された空気として上昇することとなる。
【０１４９】
尚、放熱板３３４からだけではなく光源２８に直接接する空気によっても空気層５２が
加熱されることは勿論である。
【０１５０】
以上で液晶装置３０１の動作の説明を終了する。
【０１５１】
このように本実施形態によれば、複数の点光源であるＬＥＤ２８ａ等に接触し、そのＬ
ＥＤ２８ａ等の配列方向に沿うように延設された放熱板３３４を更に具備することとした
。従って、点光源のままでは光源の位置に応じた熱分布となってしまう可能性があるのを
、放熱板３３４によりＬＥＤ２８ａ等の熱がライン状に分布し、より均一な空気層５２へ
の加熱が可能となる。
【０１５２】
（変形例２）
【０１５３】
次に、本発明に係る液晶装置の変形例２について説明する。本変形例においては、光源
として冷陰極管を用いた点が、第３の実施形態と異なるのでその点を中心に説明すること
とする。尚、以下の説明では第１及び第３の実施形態の構成要素と共通する構成要素につ
いては、その構成要素と同一の符号を付し説明を省略或は簡略化する。
【０１５４】
（液晶装置の構成）
【０１５５】
図１４は本発明の変形例２に係る液晶装置の断面図である。
【０１５６】
液晶装置４０１は、例えば図１４に示すように液晶パネル２、当該液晶パネル２等に電
気的に接続された可撓性基板としてのフレキシブル基板３、当該液晶パネル２に光を射出
する照明装置４０４及びこれら液晶パネルや照明装置等を収容するケース５とを有する。
ここで、液晶装置４０１には、ケース５等の他にも、その他の付帯機構が必要に応じて付
設される（図示しない）。
【０１５７】
照明装置４０４は図１４に示すように液晶パネル２に光を供給するバックライトユニッ
トであり、光源２８、導光体としての導光板３２９、二枚のレンズシート３３０,３３１
、拡散シート３３２及び反射シート３３３等を有する。
【０１５８】
ここで、光源２８は例えば図１４に示すように冷陰極管４６１及びその冷陰極管４６１
から導光板３２９と反対方向に射出した光を導光板３２９に反射させるリフレクター４６
２を有する。
【０１５９】
冷陰極管４６１は、例えば図１４に示すように導光板３２９の側端面３８に沿うように
配置されており、その電流は例えばフレキシブル基板３の配線パターン２６により供給さ
れる。
【０１６０】
また、リフレクター４６２は例えば図１４に示すように断面が略凹面鏡のように形成さ
れており、冷陰極管４６１の導光板３２９と反対側にその冷陰極管４６１を覆うように配
置されている。
【０１６１】
更にリフレクター４６２は、例えば図１４に示すようにその背面（反射面の反対側面）
が放熱板３３４に直接接しており、冷陰極管４６１から発した熱を効率よく放熱板３３４
に伝達することができる。
【０１６２】
尚、上述の説明ではリフレクター４６２と放熱板３３４とは別々の構成としたが、これ
に限られるものではなく、例えばリフレクターと放熱板とを一体的に形成しても良い。こ
れにより、リフレクターから放熱板への熱の供給がより効率的となると共に、組み付け工
程等を簡略化でき、製造コストの低減を図れる。
【０１６３】
また、上述のように放熱板３３４を設けないで第１の実施形態のＬＥＤ２８ａ等を冷陰
極管４６１及びその冷陰極管４６１から導光板と反対方向に射出した光を導光板に反射さ
せるリフレクター４６２としてもよい。
【０１６４】
（液晶装置の動作）
【０１６５】
次に、以上のように構成された液晶装置４０１の動作については光源２８がＬＥＤから
冷陰極管４６１等に変わっただけで略第３の実施形態と同様であるのでその説明を省略す
る。
【０１６６】
このように本変形例によれば、光源２８は、線状光源の例としての冷陰極管４６１及び
その冷陰極管４６１から導光板３２９と反対方向に射出した光を導光板３２９に反射させ
るリフレクター４６２とからなり、リフレクター４６２に接触し、その線状方向に沿うよ
うに延設された放熱板３３４を更に具備することとしたので、冷陰極管４６１の熱がより
広い熱源となり、第１の基板７への熱の伝達がより効率的となる。
【０１６７】
（第４の実施形態・電子機器）
【０１６８】
次に、上述した液晶装置１，１０１，２０１，３０１，４０１を備えた本発明の第４の
実施形態に係る電子機器について説明する。
【０１６９】
図１５は本発明の第４の実施形態に係る携帯電話機の外観概略図及び図１６はパーソナ
ルコンピュータの外観概略図である。
【０１７０】
例えば、携帯電話機５００は、図１５に示すように複数の操作ボタン５７１の他、受話
口５７２、送話口５７３を有する外枠に例えば、液晶装置１を備えている。
【０１７１】
また、パーソナルコンピュータ６００は、図１６に示すようにキーボード６８１を備え
た本体部６８２と、液晶表示ユニット６８３とから構成されており、液晶表示ユニット６
８３は外枠に例えば、液晶装置１を備えている。
【０１７２】
これらの電子機器は、液晶装置１の他に図示しないが表示情報出力源、表示情報処理回
路等の様々な回路及びそれらの回路に電力を供給する電源回路等からなる表示信号生成部
等を含んで構成される。
【０１７３】
更に液晶装置１には例えば、パーソナルコンピュータ６００の場合にあってはキーボー
ド６８１から入力された情報に基づき表示信号生成部によって生成された表示信号が供給
されることによって、表示画像が液晶装置１に表示される。
【０１７４】
本実施形態によれば、加熱用の新たな部材を設けることなしに液晶９の応答性を向上さ
せ、表示品質の信頼性を図ることができる液晶装置１を備えたので、表示品位の高い電子
機器を低コストに提供できる。
【０１７５】
特に上述したような携帯可能な電子機器にあっては、室外で用いても画面表示が鮮明で
あることが求められており、例えば低温化でも液晶の応答性を向上できる本発明の意義は
大きいといえる。
【０１７６】
尚、電子機器としては、他に液晶装置が搭載されたタッチパネル、プロジェクタ、液晶
テレビやビューファインダ型、モニタ直視型のビデオテープレコーダ、カーナビゲーショ
ン、ページャ、電子手帳、電卓等が挙げられる。そして、これらの各種電子機器の表示部
として、上述した例えば液晶装置１，１０１，２０１，３０１，４０１が適用可能なのは
言うまでもない。
【０１７７】
また、本発明は上述したいずれの実施形態及び変形例にも限定されず、本発明の技術思
想の範囲内で適宜変更して実施できる。また、本発明の要旨を逸脱しない範囲において、
上述した各実施形態及び変形例を組み合わせ得る。
【０１７８】
例えば上述した実施形態では、液晶装置の一例として薄膜トランジスタ素子アクティブ
マトリクス型の液晶装置について説明したがこれに限られるものではなく、例えば、薄膜
ダイオード素子アクティブマトリクス型やパッシブマトリクス型の液晶装置であってもよ
い。これにより、多種多様な液晶装置についても、加熱用の新たな部材を設けることなし
に液晶９の応答性を向上させ、表示品質の信頼性を図ることができる。
【０１７９】
更に上述の説明では、ドライバーＩＣ１９をＣＯＧ（Ｃｈｉｐ  Ｏｎ  Ｇｌａｓｓ）と
して説明したがこれに限られるものではなく、例えばフレキシブル基板３に実装するＣＯ
Ｆ（Ｃｈｉｐ  Ｏｎ  Ｆｉｌｍ）の場合であってもよい。これにより、多種多様な液晶装
置についても、加熱用の新たな部材を設けることなしに液晶９の応答性を向上させ、表示
品質の信頼性を図ることができる。
【図面の簡単な説明】
【０１８０】
【図１】第１の実施形態に係る液晶装置の概略斜視図である。
【図２】図１のＡ−Ａ線部分断面図（ドライバーＩＣは切断していない。）である。
【図３】第１の実施形態に係る照明装置及びケースの平面図である。
【図４】図３のＢ−Ｂ線部分断面図（ケースの側壁は表示していない。）である。
【図５】第１の実施形態に係る熱の進み方を側面側から説明する図である。
【図６】第１の実施形態に係る熱の進み方を説明する部分拡大図である。
【図７】変形例１に係る液晶装置の概略斜視図である。
【図８】変形例１に係る照明装置及びケースの平面図である。
【図９】第２の実施形態に係る照明装置及びケースの平面図である。
【図１０】第２の実施形態に係る熱の進み方を説明する部分拡大図である。
【図１１】第３の実施形態に係る液晶装置の断面図である。
【図１２】第３の実施形態に係る照明装置、放熱板及びケースの平面図である。
【図１３】第３の実施形態に係る熱の進み方を側面側から説明する図である。
【図１４】変形例２に係る液晶装置の断面図である。
【図１５】第４の実施形態に係る携帯電話機の外観概略図である。
【図１６】第４の実施形態に係るパーソナルコンピュータの外観概略図である。
【符号の説明】
【０１８１】
１，１０１，２０１，３０１，４０１  液晶装置、  ２  液晶パネル  、  ３  フレキ
シブル基板、  ４，２０４，３０４，４０４  照明装置、  ５，１０５  ケース、  ６  
シール材、  ７  第１の基板、  ８  第２の基板、  ９  液晶、  １０，１１  偏光板、
１２  ゲート電極、  １３  ソース電極、  １４，２４  配向膜、  １５  画素電極、
１６  張出し部、  １７  ゲート電極用配線、  １８  ソース電極用配線、  １９  ド
ライバーＩＣ、  ２０  外部用端子、  ２１  入力用配線、  ２２  バンプ、  ２３  共
通電極、  ２５  ベース基材、  ２６  配線パターン、  ２７  異方性導電膜、  ２８  
光源、  ２９，３２９  導光板、  ３０，３１，２３０，２３１，３３０，３３１  レン
ズシート、  ３２，３３２  拡散シート、  ３３，３３３  反射シート、  ３４  突起、
３５  発光面、  ３６  射出面、  ３７  反射面、  ３８，５６  側端面、  ３９，５
０  スペース、  ４０  表示用開口部、  ４１  凹部、  ４３  上ケース案内溝、  ４５
下ケース案内溝、  ４４，４６，４７，４８，１４４  側壁、  ４９  側面、  ５１  
遮光部材、  ５２  空気層、  ５５，５７，１５５，１５７  開口部、  ３３４  放熱板
、  ３７１  内壁、  ３７２  外壁、  ４６１  冷陰極管、  ４６２  リフレクター、  
５００  携帯電話機、  ５７１  操作ボタン、  ５７２  受話口、  ５７３  送話口、  
６００  パーソナルコンピュータ、  ６８１  キーボード、  ６８２  本体部、  ６８３
液晶表示ユニット、  Ｃ  有効表示領域、  Ｅ  距離、  Ｆ，Ｇ，Ｈ，Ｉ，Ｋ，Ｍ，Ｐ
矢印、  Ｎ  露出領域
【図１】
2007279104.tif 000003
【図２】
2007279104.tif 000004
【図３】
2007279104.tif 000005
【図４】
2007279104.tif 000006
【図５】
2007279104.tif 000007
【図６】
2007279104.tif 000008
【図７】
2007279104.tif 000009
【図８】
2007279104.tif 000010
【図９】
2007279104.tif 000011
【図１０】
2007279104.tif 000012
【図１１】
2007279104.tif 000013
【図１２】
2007279104.tif 000014
【図１３】
2007279104.tif 000015
【図１４】
2007279104.tif 000016
【図１５】
2007279104.tif 000017
【図１６】
2007279104.tif 000018